【事件の表示】
　特願２０１８−３４００２号「遊技機」拒絶査定不服審判事件〔平成３０年６月７日出願公開、特開２０１８−８６４５８号〕について、次のとおり審決する。
【結　論】
　本件審判の請求は、成り立たない。
【理　由】
第１　手続の経緯
　本願は、平成３０年２月２７日の出願であって、同年１１月８日付けで拒絶の理由が通知され、同年１２月２６日に意見書及び手続補正書が提出されたところ、平成３１年１月１１日付け（拒絶査定の謄本の送達日：同年１月２２日）で拒絶査定がなされ、それに対して、同年４月２２日に拒絶査定不服審判の請求がなされると同時に手続補正がなされたものである。
第２　平成３１年４月２２日にされた手続補正についての補正の却下の決定
［補正の却下の決定の結論］
　平成３１年４月２２日にされた手続補正（以下「本件補正」という。）を却下する。
［理由］ 
１　本件補正について（補正の内容）
（１）本件補正後の特許請求の範囲の記載
　本件補正により、特許請求の範囲の請求項１の記載は、次のとおり補正された（下線部は、補正箇所である。）。
　「複数種類の表示演出を実行可能な表示手段と特別図柄を変動表示する特別図柄変動表示手段とを備える遊技機であって、
　
前記特別図柄変動表示手段に表示される前記特別図柄の変動表示を制御する主制御手段と、
　
前記表示手段に表示される装飾図柄の変動表示を制御する副制御手段と、を備え、
　前記複数の表示演出のうちの一つの演出として、第１の表示演出をおこなう場合があり、
　前記複数の表示演出のうちの一つの演出として、第２の表示演出をおこなう場合があり、
　前記複数の表示演出のうちの一つの演出として、第３の表示演出をおこなう場合があり、
　前記第１の表示演出は、
前記
　前記第２の表示演出は、前記特別図柄の変動中に、当該特別図柄の変動終了時間を表す指標を表示させる演出であり、
　前記指標は、カーソル表示を含み、前記カーソル表示が開始位置から終了位置まで移動することによって、前記特別図柄の変動終了時間を表しており、
　前記第３の表示演出は、前記指標において前記カーソル表示を終了位置に配置させる演出であり、
　前記第１の表示演出と前記第２の表示演出と前記第３の表示演出とを含む組み合わせ演出がおこなわれる場合があり、
　前記組み合わせ演出では、前記第１の表示演出がおこなわれているときに、前記第２の表示演出がおこなわれ、その後、前記特別図柄変動表示手段において前記特別図柄が変動状態から停止する場合に、前記第３の表示演出がおこなわれる、
　ことを特徴とする遊技機。」
（２）本件補正前の特許請求の範囲
　本件補正前の、平成３０年１２月２６日にされた手続補正により補正された特許請求の範囲の請求項１の記載は次のとおりである。
「複数種類の表示演出を実行可能な表示手段と特別図柄を変動表示する特別図柄変動表示手段とを備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記複数の表示演出のうちの一つの演出として、第３の表示演出をおこなう場合があり、
　前記第１の表示演出は、装飾図柄を変動表示させる演出であり、
　前記第２の表示演出は、前記特別図柄の変動中に、当該特別図柄の変動終了時間を表す指標を表示させる演出であり、
　前記指標は、カーソル表示を含み、前記カーソル表示が開始位置から終了位置まで移動することによって、前記特別図柄の変動終了時間を表しており、
　前記第３の表示演出は、前記指標において前記カーソル表示を終了位置に配置させる演出であり、
　前記第１の表示演出と前記第２の表示演出と前記第３の表示演出とを含む組み合わせ演出がおこなわれる場合があり、
　前記組み合わせ演出では、前記第１の表示演出がおこなわれているときに、前記第２の表示演出がおこなわれ、その後、前記特別図柄変動表示手段において前記特別図柄が変動状態から停止する場合に、前記第３の表示演出がおこなわれる、
　ことを特徴とする遊技機。」
２　補正の適否
（１）補正後の請求項１は、補正前の請求項１に記載された発明特定事項である「特別図柄変動表示手段」について、「特別図柄変動表示手段」に表示される「特別図柄」の「変動表示」が「主制御手段」により「制御」されることを特定することにより、補正前の請求項１に記載された「特別図柄変動表示手段」を限定するものである。
（２）補正後の請求項１は、補正前の請求項１に記載された発明特定事項である「表示手段」で「実行可能」な「装飾図柄」の「変動表示」について、「表示手段」に表示される「装飾図柄の変動表示」が「副制御手段」により「制御」されることを特定することにより、補正前の請求項１に記載された「表示手段」を限定するものである。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、【００４４】〜【００４６】、【００４９】、【００５０】、【０１５４】、【０１５５】、図３、図４、図２２、図２６、図３６、図３７等の記載に基づいており、新規事項を追加するものではない。
３　独立特許要件 
　そこで、本件補正後の請求項１に記載された発明（以下「本件補正発明」という。）が特許出願の際独立して特許を受けることができるものであるか否か、すなわち、特許法第１７条の２第６項において準用する同法第１２６条第７項の規定に適合するか否か、について以下において検討する。
（１）本件補正発明
　本件補正発明は、上記１（１）において示した次に特定されるとおりのものである（Ａ〜Ｌについては、発明特定事項を分説するため当審で付した。）。
「Ａ　複数種類の表示演出を実行可能な表示手段と特別図柄を変動表示する特別図柄変動表示手段とを備える遊技機であって、
Ｂ　前記特別図柄変動表示手段に表示される前記特別図柄の変動表示を制御する主制御手段と、
Ｃ　前記表示手段に表示される装飾図柄の変動表示を制御する副制御手段と、を備え、
Ｄ　前記複数の表示演出のうちの一つの演出として、第１の表示演出をおこなう場合があり、
Ｅ　前記複数の表示演出のうちの一つの演出として、第２の表示演出をおこなう場合があり、
Ｆ　前記複数の表示演出のうちの一つの演出として、第３の表示演出をおこなう場合があり、
Ｇ　前記第１の表示演出は、前記装飾図柄を変動表示させる演出であり、
Ｈ　前記第２の表示演出は、前記特別図柄の変動中に、当該特別図柄の変動終了時間を表す指標を表示させる演出であり、
Ｉ　前記指標は、カーソル表示を含み、前記カーソル表示が開始位置から終了位置まで移動することによって、前記特別図柄の変動終了時間を表しており、
Ｊ　前記第３の表示演出は、前記指標において前記カーソル表示を終了位置に配置させる演出であり、
Ｋ　前記第１の表示演出と前記第２の表示演出と前記第３の表示演出とを含む組み合わせ演出がおこなわれる場合があり、
　前記組み合わせ演出では、前記第１の表示演出がおこなわれているときに、前記第２の表示演出がおこなわれ、その後、前記特別図柄変動表示手段において前記特別図柄が変動状態から停止する場合に、前記第３の表示演出がおこなわれる、
Ｌ　ことを特徴とする遊技機。」
（２）引用文献の記載事項
ア　原査定の拒絶の理由に引用された本願の出願前に頒布された又は電気通信回線を通じて公衆に利用可能となった引用文献である、特開２０１７−６４３５３号公報（以下、「引用文献」という。）には、図面とともに次の事項が記載されている（下線は当審で付した。）。
「【００２２】
　以下、本発明の実施形態について、添付図面を参照して説明する。まず、図１から図４２を参照し、第１実施形態として、本発明をパチンコ遊技機（以下、単に「パチンコ機」という）１に適用した場合の一実施形態について説明する。図１は、第１実施形態における
パチンコ機１
「【００４５】
　遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口１４０のいずれかの入賞（始動入賞）をトリガとして、
第１図柄表示装置３７Ａ，３７Ｂにおける変動表示と同期させながら、第３図柄の変動表示を行う
第３図柄表示装置８１
「【００４７】
　
第３図柄表示装置８１
表示制御装置１１４
によって表示内容が制御される
複数の図柄（第３図柄）
表示画面上にて第３図柄が可変表示される
装飾的な表示を行う
「【０８３３】
　ここで、本制御例における確変状態では上述したように特別図柄の抽選の結果が大当たりとなる確率が高くなるとともに、スルーゲート６６を通過することにより抽選が実行される普通図柄が当たりとなる抽選確率も高くなるように設定されている。さらに、
特別図柄
の抽選結果が確定するまでの時間
変動時間
「【０８６４】
　続けて、図１１２および図１１３を参照して、本パチンコ機１０の
第３図柄表示装置８１の表示領域にて実行される演出
第３図柄の変動パターンとして所定の変動パターン
が選択された場合に実行されるリーチナビ演出
リーチナビ演出は、所定の変動パターン
によって実行される
主演出
の態様の進行状況を、遊技者が視覚的に把握できるようにし
【０８６５】
　次に、図１１２（ａ）を参照して、
リーチナビ演出
第３図柄表示装置８１にて所定の変動パターン
が選択されると、第３図柄が主表示領域Ｄｍの右上側に設けられた小領域Ｄｍ５に縮小されて変動表示され、
主表示領域Ｄｍの左下側に設けられた小領域Ｄｍ４に
リーチナビ演出が実行される
【０８６６】
　
この小領域Ｄｍ４には、リーチナビ演出を構成する画像として、主演出が実行される期間を示すタイムゲージＤｍ４ａと、主演出の進行度合いを視覚的に示す移動表示部としてキャラクタＤｍ４ｂと、主演出の演出結果
を報知する報知部Ｄｍ４ｃ
が表示
【０８６７】
　
タイムゲージＤｍ４ａは、
左側から右側に向けて移動表示部であるキャラクタＤｍ４ｂが進行するように表示される。このタイムゲージＤｍ４ａの右端には報知部Ｄｍ４ｃは表示されており、主表示領域Ｄｍにて実行される主演出に対応して移動するキャラクタＤｍ４ｂが報知部Ｄｍ４ｃに到達すると、報知部Ｄｍ４ｃに報知内容が停止表示される
「【０８７０】
　
報知部Ｄｍ４ｃは、
小領域Ｄｍ４上で左右方向に回転する回転表示
が行われる。報知部Ｄｍ４ｃはその両面に主演出の演出結果を示す指標が表示可能に構成されており、報知部Ｄｍ４ｃの回転表示が停止した際に小領域Ｄｍ４に停止表示される指標により主演出の演出結果が報知される
【０８７１】
　本パチンコ機１０では主演出の演出結果を報知するための指標として、
大当たりであることを示す指標である「Ｖ」と、外れであったことを示す指標である「×」
【０８７２】
　このように構成することで、例えば、
報知部Ｄｍ４ｃの両面に「Ｖ」の指標と「×」の指標が表示されている状態で報知部Ｄｍ４ｃが回転表示されている場合は、キャラクタＤｍ４ｂが報知部Ｄｍ４ｃに到達した時点でそれ以上の発展が無いことを事前に報知することとなる、つまり、今回の
主演出に対応する特別図柄の変動時間
を事前に把握することができる
遊技者が
「【１１６７】
　次に、図１２２を参照して、
主制御装置１１０
特別図柄変動処理（Ｓ１０４）
この特別図柄変動処理（Ｓ１０４）は、
第１図柄表示装置３７Ａ，３７Ｂにおいて行う特別図柄（第１図柄）の変動表示
を制御する
イ　上記アから、引用文献には、次の発明（以下「引用発明」という。）が記載されている。 
「表示画面上にて複数の図柄（第３図柄）が可変表示され、装飾的な表示を行ったり、表示領域にて演出を実行する第３図柄表示装置８１と（【００４７】、【０８６４】）
　特別図柄（第１図柄）の変動表示を行う第１図柄表示装置３７Ａ，３７Ｂ（【１１６７】）とを備えるパチンコ機１（【００２２】）であって、
　第１図柄表示装置３７Ａ，３７Ｂにおいて行う特別図柄（第１図柄）の変動表示を制御する主制御装置１１０と（【１１６７】）、
　第３図柄表示装置８１の表示内容を制御する表示制御装置１１４と（【００４７】）、を備え、
　第３図柄表示装置８１は、第１図柄表示装置３７Ａ，３７Ｂにおける変動表示と同期させながら、第３図柄の変動表示を行い（【００４５】）、
　第３図柄の変動パターンとして所定の変動パターンが選択されると、第３図柄表示装置８１にて、第３図柄が主表示領域Ｄｍの右上側に設けられた小領域Ｄｍ５に縮小されて変動表示される（【０８６４】、【０８６５】）と共に、主表示領域Ｄｍの左下側に設けられた小領域Ｄｍ４に、所定の変動パターンによって実行される主演出の態様の進行状況を、遊技者が視覚的に把握できるようにするリーチナビ演出が実行され（【０８６４】、【０８６５】）、
　この小領域Ｄｍ４には、リーチナビ演出を構成する画像として、主演出が実行される期間を示すタイムゲージＤｍ４ａと、主演出の進行度合いを視覚的に示す移動表示部としてキャラクタＤｍ４ｂと、主演出の演出結果を報知する報知部Ｄｍ４ｃが表示され（【０８６６】）、
　タイムゲージＤｍ４ａは、左側から右側に向けて移動表示部であるキャラクタＤｍ４ｂが進行するように表示され、このタイムゲージＤｍ４ａの右端には報知部Ｄｍ４ｃが表示されており、主表示領域Ｄｍにて実行される主演出に対応して移動するキャラクタＤｍ４ｂが報知部Ｄｍ４ｃに到達すると、報知部Ｄｍ４ｃに報知内容が停止表示され（【０８６７】）、
　報知部Ｄｍ４ｃは、小領域Ｄｍ４上で左右方向に回転する回転表示が行われ、報知部Ｄｍ４ｃはその両面に主演出の演出結果を示す指標が表示可能に構成されており、報知部Ｄｍ４ｃの回転表示が停止した際に小領域Ｄｍ４に停止表示される指標により主演出の演出結果が報知され（【０８７０】）、
　報知部Ｄｍ４ｃの両面に大当たりであることを示す「Ｖ」の指標と外れであったことを示す「×」の指標が表示されている状態で報知部Ｄｍ４ｃが回転表示されている場合は、キャラクタＤｍ４ｂが報知部Ｄｍ４ｃに到達した時点でそれ以上の発展が無いことを事前に報知することとなる、つまり、遊技者は今回の主演出に対応する特別図柄の変動時間を事前に把握することができ（【０８７１】、【０８７２】）、
　変動時間は、特別図柄の抽選結果が確定するまでの時間である（【０８３３】）、
　パチンコ機１（【００２２】）。」
（３）対比・判断
　本件補正発明と引用発明とを対比する。なお、見出しは（Ａ）〜（Ｌ）とし、本件補正発明の分説に対応させている。 
（Ａ）引用発明の「第３図柄表示装置８１」は、「表示画面上にて複数の図柄（第３図柄）が可変表示され、装飾的な表示を行ったり、表示領域にて演出を実行する」ことから、本件補正発明の「複数種類の表示演出を実行可能」な「表示手段」に相当する。
　また、引用発明の「第１図柄表示装置３７Ａ，３７Ｂ」は、「特別図柄（第１図柄）の変動表示を行う」ことから、本件補正発明の「特別図柄を変動表示する特別図柄変動表示手段」に相当する。
　そして、引用発明の「パチンコ機１」は、本件補正発明の「遊技機」に相当する。
　よって、引用発明は、本件補正発明の構成Ａを備えている。
（Ｂ）上記（Ａ）での検討を踏まえると、引用発明の「第１図柄表示装置３７Ａ，３７Ｂにおいて行う特別図柄（第１図柄）の変動表示を制御する」ことは、本件補正発明の「前記特別図柄変動表示手段に表示される前記特別図柄の変動表示を制御する」ことに相当するから、引用発明の「主制御装置１１０」は、本件補正発明の「主制御手段」に相当する。
　よって、引用発明は、本件補正発明の構成Ｂを備えている。
（Ｃ）上記（Ａ）より、引用発明の「第３図柄表示装置８１の表示内容」は、「第３図柄表示装置８１」の「表示画面上にて複数の図柄（第３図柄）」の「可変表示」や「装飾的な表示」が含まれるから、本件補正発明の「前記表示手段に表示される装飾図柄の変動表示」を含むものである。
　そうすると、引用発明の「第３図柄表示装置８１の表示内容を制御する表示制御装置１１４」は、本件補正発明の「前記表示手段に表示される装飾図柄の変動表示を制御する副制御手段」に相当する。
　よって、引用発明は、本件補正発明の構成Ｃを備えている。
（Ｇ）引用発明の「第３図柄表示装置８１にて、第３図柄が主表示領域Ｄｍの右上側に設けられた小領域Ｄｍ５に縮小されて変動表示」することは、「装飾図柄を変動表示させる演出」といえるから、本件補正発明の「第１の表示演出」に相当する。
　よって、引用発明は、本件補正発明の構成Ｇを備えている。
（Ｈ、Ｉ）引用発明の「リーチナビ演出」は、「第３図柄の変動パターンとして所定の変動パターンが選択されると」実行されるものである。
　そして、「第３図柄の変動パターンとして所定の変動パターンが選択されると、第３図柄表示装置８１にて、第３図柄が主表示領域Ｄｍの右上側に設けられた小領域Ｄｍ５に縮小されて変動表示され」ること、及び、「第３図柄表示装置８１は、第１図柄表示装置３７Ａ，３７Ｂにおける変動表示と同期させながら、第３図柄の変動表示を行」うこと、また、引用発明の「第１図柄表示装置３７Ａ，３７Ｂ」は、「特別図柄（第１図柄）の変動表示を行う」ものであるから、引用発明の「リーチナビ演出」は、特別図柄の変動中に実行されると認められる。
　また、引用発明の「キャラクタＤｍ４ｂ」は、「タイムゲージＤｍ４ａ」の「左側から右側に向けて」「進行する」ものであるから、本願発明の「開始位置から終了位置まで移動する」「カーソル表示」に相当する。
　そして、「タイムゲージＤｍ４ａの右端」の「報知部Ｄｍ４ｃ」に「キャラクタＤｍ４ｂが」「到達すると、報知部Ｄｍ４ｃに報知内容が停止表示され」ること、「報知部Ｄｍ４ｃの両面に大当たりであることを示す「Ｖ」の指標と外れであったことを示す「×」の指標が表示されている状態で報知部Ｄｍ４ｃが回転表示されている場合は、キャラクタＤｍ４ｂが報知部Ｄｍ４ｃに到達した時点でそれ以上の発展が無いことを事前に報知することとなる、つまり、遊技者は今回の主演出に対応する特別図柄の変動時間を事前に把握することができ」るものであること、及び、「変動時間は、特別図柄の抽選結果が確定するまでの時間である」ことからみて、「キャラクタＤｍ４ｂが報知部Ｄｍ４ｃに到達した時点」が、特別図柄の変動終了時間である。
　そうすると、引用発明の「タイムゲージＤｍ４ａ」、「キャラクタＤｍ４ｂ」及び「報知部Ｄｍ４ｃ」は、本件補正発明の「指標」に相当し、引用発明の「リーチナビ演出」は、本件補正発明の「第２の表示演出」に相当する。
　よって、引用発明は、本件補正発明の構成Ｈ、Ｉを備えている。
（Ｊ）引用発明の「報知部Ｄｍ４ｃ」は、「タイムゲージＤｍ４ａの右端」に「表示」されていることから、本件補正発明の「終了位置」に相当する。
　そうすると、引用発明の「キャラクタＤｍ４ｂが報知部Ｄｍ４ｃに到達する」ことは、本件補正発明の「前記指標において前記カーソル表示を終了位置に配置させる演出」である「第３の表示演出」に相当する。
　よって、引用発明は、本件発明の構成Ｊを備えている。
（Ｄ、Ｅ、Ｆ）上記（Ｇ〜Ｊ）より、本件補正発明の「第１の表示演出」、「第２の表示演出」及び「第３の表示演出」に、それぞれ、相当する引用発明の「第３図柄」の「変動表示」、「リーチナビ演出」及び「キャラクタＤｍ４ｂが報知部Ｄｍ４ｃに到達する」演出は、いずれも、「第３図柄の変動パターンとして所定の変動パターンが選択されると」実行されるものであるから、引用発明は、本件補正発明の構成Ｄ、Ｅ、Ｆの「前記複数の表示演出のうちの一つの演出として、第１の表示演出をおこなう場合があり、前記複数の表示演出のうちの一つの演出として、第２の表示演出をおこなう場合があり、前記複数の表示演出のうちの一つの演出として、第３の表示演出をおこなう場合があ」るという構成を備えているといえる。
（Ｋ）上記（Ｇ〜Ｊ）より、引用発明は「第３図柄の変動パターンとして所定の変動パターンが選択されると」、「第３図柄」が「変動表示」されているときに、「リーチナビ演出」及び「キャラクタＤｍ４ｂが報知部Ｄｍ４ｃに到達する」演出を実行するものであることから、本件補正発明の構成Ｋの「前記第１の表示演出がおこなわれているときに、前記第２の表示演出がおこなわれ」るという構成を備えているといえる。
　そして、上記（Ｈ、Ｉ）より、引用発明は、「リーチナビ演出」において、「キャラクタＤｍ４ｂが報知部Ｄｍ４ｃに到達」した時点が、特別図柄の変動終了時間を表していることから、本件補正発明の構成Ｋの「前記第２の表示演出がおこなわれ、その後、前記特別図柄変動表示手段において前記特別図柄が変動状態から停止する場合に、前記第３の表示演出がおこなわれる」という構成を備えているといえる。
　よって、引用発明は、本件補正発明の構成Ｋを備えている。
（Ｌ）引用発明の「パチンコ機１」は、本件補正発明の「遊技機」に相当する。
　よって、引用発明は、本件補正発明の構成Ｌを備えている。
　上記（Ａ）〜（Ｌ）の対比により、本件補正発明と引用発明は、全ての点で一致し、相違点はない。
　したがって、本件補正発明は引用発明と同一である。
（４）審判請求人の主張について 
　審判請求書において、請求人は、「引用文献１において、リーチナビ演出は、変動パターンによって実行される主演出の変動終了時間を示唆しておりますが、変動パターンによって実行される主演出を含む全演出の変動終了時間（特別図柄の変動終了時間）を示唆している訳ではありません。すなわち、リーチナビ演出が特別図柄の変動終了時間を表しており、報知部Ｄｍ４ｃの両面に「Ｖ」の指標と「Ｘ」の指標が表示されている状態で報知部Ｄｍ４ｃが回転表示されている場合は、キャラクタＤｍ４ｂが報知部Ｄｍ４ｃに到達した時点で特別図柄の変動が停止することについては開示も示唆もされていないと思料致します」と主張している（「５（１）（１−２）」）。
　しかしながら、引用発明は、「キャラクタＤｍ４ｂが報知部Ｄｍ４ｃに到達すると、報知部Ｄｍ４ｃに報知内容が停止表示され」、「報知部Ｄｍ４ｃの両面に大当たりであることを示す「Ｖ」の指標と外れであったことを示す「×」の指標が表示されている状態で報知部Ｄｍ４ｃが回転表示されている場合は、キャラクタＤｍ４ｂが報知部Ｄｍ４ｃに到達した時点でそれ以上の発展が無いことを事前に報知することとなる、つまり、遊技者は今回の主演出に対応する特別図柄の変動時間を事前に把握することができ」るものである。
　ここで、「変動時間は、特別図柄の抽選結果が確定するまでの時間である」ことから、「遊技者」が「特別図柄の変動時間を事前に把握することができ」るということは、「特別図柄の抽選結果が確定するまでの時間」、すなわち、特別図柄の変動終了時間を把握することができるということである。
　そうすると、「キャラクタＤｍ４ｂが報知部Ｄｍ４ｃに到達した時点でそれ以上の発展が無いことを事前に報知すること」で、特別図柄の変動終了時間が把握できるのであるから、「キャラクタＤｍ４ｂが報知部Ｄｍ４ｃに到達した時点」が、特別図柄の変動終了時間であり、特別図柄の変動が停止する時間であるといえる。
　よって、この主張は採用できない。
（５）小括 
　よって、本件補正発明は引用文献に記載された発明であり、特許法第２９条第１項第３号の規定に該当し、特許出願の際独立して特許を受けることができない。  
  
４　本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。 
  
第３　本願発明について
１　本願発明
　本件補正は、上記第２のとおり却下されたので、本願の請求項１に係る発明（以下、「本願発明」という。）は、平成３０年１２月２６日にされた手続補正により補正された上記第２の［理由］１（２）で補正前として記載されたとおりのものである。
２　原査定の拒絶の理由
　原査定の拒絶の理由は、この出願の請求項１に係る発明は、その出願前に日本国内又は外国において、頒布された又は電気通信回線を通じて公衆に利用可能となった下記の引用文献に記載された発明であるから、特許法第２９条第１項第３号に該当し、特許を受けることができない、というものである。
　引用文献：特開２０１７−６４３５３号公報
３　引用文献
　原査定の拒絶の理由で引用された引用文献の記載事項は、前記第２の［理由］３（２）に記載したとおりである。
４　対比・判断
　本願発明は、本件補正発明の発明特定事項から、上記第２の［理由］２（１）（２）で示した限定事項を省いたものである。
　そうすると、本願発明の発明特定事項を実質的にすべて含み、さらに、他の発明特定事項を付加したものに相当する本件補正発明が、上記第２に記載したとおり、引用発明と同一であるから、本願発明も、同様に、引用発明と同一である。
  
第４　むすび 
　以上のとおり、本願発明は、特許法第２９条第１項第３号の規定に該当し、特許を受けることができないものである。
　よって、結論のとおり審決する。